(57)【要約】【課題】光学素子の透過率の計測に有利な露光装置及びそれを用いたデバイス製造方法を提供する。【解決手段】原版ステージ２０に設けられた原版ステージ基準マーク２１で反射した反射光の第１光量を反射光モニター１６で計測し、原版ステージ基準マーク２１を光路から退避させて投影光学系２３を介して基板ステージ２４に設けられた基板ステージ基準マーク２７で反射した反射光の第２光量を反射光モニター１６で計測し、第１光量と第２光量の比に基づいて投影光学系２３の透過率を求める露光装置を提供する。【選択図】図１
2010129796.tif 000002
【特許請求の範囲】
【請求項１】
原版ステージと基板ステージと照明光学系と投影光学系とを有し、前記原版ステージに保持されて前記照明光学系により光源からの光で照明された原版および前記投影光学系を介して、前記基板ステージに保持された基板を露光する露光装置であって、
前記原版ステージに関して前記照明光学系の側からの照明により生じた、前記原版ステージに配置された第１の反射部材からの第１の反射光および前記基板ステージに配置された第２の反射部材からの第２の反射光を検出する検出部と、
前記検出部からの出力に基づいて、前記第１の反射光の強度と前記第２の反射光の強度とを求めて前記投影光学系の透過率を算出する制御部と、
を有することを特徴とする露光装置。
【請求項２】
前記検出部は、前記照明光学系の光路に配置されたハーフミラーと、前記ハーフミラーにより前記照明光学系の光路から分岐した光路に配置された光量センサーとを含み、
前記制御部は、前記原版ステージの位置および前記基板ステージの位置を制御して、前記第１の反射部材および前記第２の反射部材を選択的に前記光路に配置し、前記第１の反射光および前記第２の反射光を前記検出部に順次検出させる、
ことを特徴とする請求項１に記載の露光装置。
【請求項３】
前記第１の反射部材は、前記原版ステージに固定された第１の基準マークであり、前記第２の反射部材は、前記基板ステージに固定された第２の基準マークである、
ことを特徴とする請求項１または２に記載の露光装置。
【請求項４】
前記第１の反射部材は、前記原版ステージに保持された基板であり、前記第２の反射部材は、前記基板ステージに保持された基板である、
ことを特徴とする請求項１または２に記載の露光装置。
【請求項５】
前記検出部は、前記原版ステージに固定された第１の基準マークおよび前記基板ステージに固定された第２の基準マークを前記光源からの光で照明し、照明された前記第１の基準マークおよび前記第２の基準マークを撮像するＴＴＲ顕微鏡を含み、
前記制御部は、前記原版ステージの位置および前記基板ステージの位置を制御して、前記第１の基準マークおよび前記第２の基準マークを光路内に配置し、前記第１の基準マークおよび前記第２の基準マークを前記ＴＴＲ顕微鏡に撮像させ、撮像により得られた信号から前記第１の反射光の強度と前記第２の反射光の強度とを求める、
ことを特徴とする請求項１に記載の露光装置。
【請求項６】
前記制御部は、前記第１の基準マークの反射率および前記第２の基準マークの反射率に基づいて、前記透過率を算出する、
ことを特徴とする請求項１乃至５のいずれかに記載の露光装置。
【請求項７】
前記制御部は、少なくとも投影光学系の開口数に基づいて、前記透過率を算出する、
ことを特徴とする請求項１乃至６のいずれかに記載の露光装置。
【請求項８】
前記基板ステージに固定された照度センサーを有し、
前記制御部は、算出された前記透過率と前記原版ステージに配置された基準照度計の出力と前記照度センサーの出力とに基づいて、前記照度センサーの出力を校正する、
ことを特徴とする請求項１乃至７のいずれかに記載の露光装置。
【請求項９】
前記投影光学系の最終面と前記基板との間隙に満たされた液体を介して前記基板を露光する、
ことを特徴とする請求項８に記載の露光装置。
【請求項１０】
原版ステージと基板ステージと照明光学系と投影光学系とを有し、前記原版ステージに保持されて前記照明光学系により光源からの光で照明された原版および前記投影光学系を介して、前記基板ステージに保持された基板の露光を行う露光装置であって、
前記露光の光路内に配置された第１の反射部材と、
前記光路内かつ前記第１の反射部材より後側に配置された第２の反射部材であって、前記第１の反射部材との間には光学素子が介在する第２の反射部材と、
前記光路内且つ前記第１の反射部材より前側に配置され、前記第１の反射部材からの第１の反射光および前記第２の反射部材からの第２の反射光を検出する検出部と、
前記検出部からの出力に基づいて、前記第１の反射光の強度と前記第２の反射光の強度とを求めて前記光学素子の透過率を算出する制御部と、
を有することを特徴とする露光装置。
【請求項１１】
請求項１乃至１０のいずれかに記載の露光装置を用いて基板を露光する工程と、
前記工程で露光された基板を現像する工程と、
を有することを特徴とするデバイス製造方法。
【発明の詳細な説明】
【技術分野】
【０００１】
本発明は露光装置及びデバイス製造方法に関する。
【背景技術】
【０００２】
露光装置では、継続的使用によって汚染物質が光学素子に付着したり、硝材自体が劣化したりすることによって露光に使用される光学系（例えば、投影光学系）の透過率が低下する。このため、光学系の透過率を定期的に計測して光学素子の交換やクリーニング等の保守を行うことが必要となる。従来は、光路に沿って被検光学系の前後に光量検出部を配置して光量を計測し、この２つの光量比から被検光学系の透過率を算出していた。特許文献１及び２は、照明光学系に設けられた積算光量モニターと基板ステージ上に設けられた露光量モニターとの出力の比から算出される、この間の透過率を監視することを提案している。
【特許文献１】特開平１０−１１６７６６号公報
【特許文献２】特開平０９−１１５８０２号公報
【発明の開示】
【発明が解決しようとする課題】
【０００３】
しかし、特許文献１・２のように２つの光量検出部を使用すると両者が別個に経時変化するために計測の正確度が低下する。
【０００４】
本発明は、光学素子の透過率の計測に有利な露光装置及びそれを用いたデバイス製造方法を提供することを例示的な目的とする。
【課題を解決するための手段】
【０００５】
本発明の一側面としての露光装置は、原版ステージと基板ステージと照明光学系と投影光学系とを有し、前記原版ステージに保持されて前記照明光学系により光源からの光で照明された原版および前記投影光学系を介して、前記基板ステージに保持された基板を露光する露光装置であって、前記原版ステージに関して前記照明光学系の側からの照明により生じた、前記原版ステージに配置された第１の反射部材からの第１の反射光および前記基板ステージに配置された第２の反射部材からの第２の反射光を検出する検出部と、前記検出部からの出力に基づいて、前記第１の反射光の強度と前記第２の反射光の強度とを求めて前記投影光学系の透過率を算出する制御部と、を有することを特徴とする。
【０００６】
また、本発明の別の側面としての露光装置は、原版ステージと基板ステージと照明光学系と投影光学系とを有し、前記原版ステージに保持されて前記照明光学系により光源からの光で照明された原版および前記投影光学系を介して、前記基板ステージに保持された基板の露光を行う露光装置であって、前記露光の光路内に配置された第１の反射部材と、前記光路内かつ前記第１の反射部材より後側に配置された第２の反射部材であって、前記第１の反射部材との間には光学素子が介在する第２の反射部材と、前記光路内且つ前記第１の反射部材より前側に配置され、前記第１の反射部材からの第１の反射光および前記第２の反射部材からの第２の反射光を検出する検出部と、前記検出部からの出力に基づいて、前記第１の反射光の強度と前記第２の反射光の強度とを求めて前記光学素子の透過率を算出する制御部と、を有することを特徴とする。
【発明の効果】
【０００７】
本発明によれば、例えば、光学素子の透過率の計測に有利な露光装置及びそれを用いたデバイス製造方法を提供することができる。
【発明を実施するための最良の形態】
【０００８】
図１は、露光装置のブロック図である。露光装置は、マスク又はレチクルなどの原版２２のパターンをウエハや液晶基板などの基板２９に投影して該基板を露光する投影露光装置である。本実施例の露光装置は、ステップアンドスキャン方式の露光装置であるが、ステップアンドリピート方式の露光装置にも適用可能である。露光装置は、光源１、照明光学系、原版ステージ２０、投影光学系２３、基板ステージ２４、計測系、制御部３４を有する。図１において、Ｚ軸方向は、投影光学系２３の光軸方向に平行な方向であり、Ｙ軸方向は走査方向である。Ｘ軸方向は光軸方向および走査方向の双方に直交する方向である。
【０００９】
光源１は、原版２２を照明する光束又は露光に使用される光束（露光光）を射出する。光源１は、本実施例ではエキシマレーザーであるが、水銀ランプやＥＵＶ光発生手段であってもよい。光源１は、制御系の制御部３４により制御される。
【００１０】
照明光学系は、原版２２を光源１からの光束により均一に照明する機能を有し、発散レンズ２、レンズ３、５、８、折り曲げミラー４ａ〜４ｃ、ハエの目レンズ１０、マスキングブレード１８、コンデンサーレンズ１９を有する。
【００１１】
発散レンズ２は、光源１からの光束を適切な大きさに広げる。レンズ３は、発散レンズ２からの光を平行光に変換するコリメータレンズである。レンズ５は、レンズ３からの光を集光するコンデンサーレンズである。レンズ８は、レンズ５からの光を平行光に変換するコリメータレンズである。ハエの目レンズ１０は、折り曲げミラー４ｂと４ｃとの間に配置され、原版２２を均一に照明するための二次光源を形成する。ハエの目レンズ１０は、光学ロッドなど他のオプティカルインテグレータに置換されてもよい。ハエの目レンズ１０の入射面と射出面とは光学的にフーリエ変換の関係にあり、入射面は原版２２とは共役な位置に配置される。折り曲げミラー４ａ〜４ｃは光束を９０°偏向しているが、偏向角度は限定されない。折り曲げミラー４ａはレンズ３とレンズ５との間に設けられ、折り曲げミラー４ｂはレンズ８とハエの目レンズ１０との間に設けられ、折り曲げミラー４ｃはマスキングブレード１８とコンデンサーレンズ１９との間に設けられる。照明光学系は、不図示のスリット部材により原版上に露光スリット（スリット形状の照明領域）を形成する。マスキングブレード１８は、原版２２と光学的に共役な位置（本実施例では、折り曲げミラー４ｃと後述するハーフミラー１１との間）に配置され、照明光束の原版２２における照明領域を規定する。マスキングブレード１８は駆動部９によって駆動される。コンデンサーレンズ１９は、原版上に露光スリットを形成する。
【００１２】
原版２２は、基板２９に転写されるパターンを有し、不図示のホルダを介して原版ステージ２０に保持される。不図示の駆動部は原版２２を搭載した原版ステージ２０を露光スリットに対して走査方向（Ｙ軸方向）に移動することができる。
【００１３】
原版ステージ２０には、原版２２を基板２９と位置合わせするための原版ステージ基準マーク（アライメントマーク）２１が設けられている。原版ステージ基準マーク２１は、光源１から基板２９までの露光光の光路に沿って投影光学系２３の前側に配置された第１反射部材として機能する。そして、原版ステージ２０は、原版ステージ基準マーク２１を光路に挿入及び光路から退避することができるように原版ステージ基準マーク２１を投影光学系２３の光軸ＯＡに垂直な方向（Ｘ軸方向又はＹ軸方向）に駆動する第１駆動部として機能する。
【００１４】
投影光学系２３は、原版２２のパターンを基板２９に縮小投影し、原版２２と基板２９とを光学的に共役の関係にする。本実施例においては、投影光学系２３は、透過率を計測する対象である被検光学系である。但し、露光装置における被検光学系は、光源１からの光束を利用して原版２２のパターンを基板２９に投影するのに使用される光学系であれば足り、投影光学系に限定されない。本出願では、「透過率」は、被検光が被検光学系を通過する割合を意味し、被検光学系が屈折光学素子などの光を透過する光学素子のみからなることを意味しない。このため、被検光学系である投影光学系２３は、反射屈折型光学系や反射型光学系であってもよい。投影光学系２３の基板２９に最も近い光学素子（最終面）と基板２９との間隙に空気よりも屈折率の高い液体を充填していわゆる液浸露光装置を構成してもよい。また、投影光学系２３は縮小光学系に限定されず等倍系や拡大系であってもよい。
【００１５】
基板２９は、不図示の基板ホルダを介して基板ステージ２４に保持される。駆動部２６は基板２９を搭載した基板ステージ２４をＸＹＺ軸方向及び各軸周りの回転方向に駆動することができる。
【００１６】
基板ステージ２４には、原版２２を基板２９と位置合わせするための基板ステージ基準マーク（アライメントマーク）２７が設けられている。基板ステージ基準マーク２７は、光源１から基板２９までの露光光の光路に沿って被検光学系である投影光学系２３の後側に配置された第２反射部材として機能する。そして、基板ステージ２４は、基板ステージ基準マーク２７を光路に挿入及び光路から退避することができるように基板ステージ基準マーク２７を投影光学系２３の光軸ＯＡに垂直な方向（Ｘ軸方向又はＹ軸方向）に駆動する第２駆動部として機能する。
【００１７】
露光装置の計測系は、第１の計測系〜第４の計測系を有する。
【００１８】
第１の計測系は、原版ステージ２０および基板ステージ２４それぞれの位置を計測するもので、各ステージに設けられた不図示のバーミラーとこれにレーザ光を照射してその反射光を検出する干渉計２５とを有する。
【００１９】
第２の計測系は、露光量を計測するもので、ハーフミラー１１、コンデンサーレンズ１２、積算光量モニター（光量検出部）１３、処理部１４、露光量モニター（照度センサ）２８を有する。
【００２０】
ハーフミラー１１は、ハエの目レンズ１０と折り曲げミラー４ｃとの間（又はハエの目レンズ１０とマスキングブレード１８との間）に配置される。そして、ハエの目レンズ１０からの光束の一部を分岐してコンデンサーレンズ１２に導き、残りをマスキングブレード１８に導く。
【００２１】
コンデンサーレンズ１２は、ハーフミラー１１からの光束を積算光量モニター１３に集光する。
【００２２】
積算光量モニター１３は、光量に応じたパルス電流を出力する。電流出力は処理部１４によってデジタル信号に変換され、制御部３４に入力される。積算光量モニター１３の出力の積算値と比較される目標値は、露光量を計測する露光量モニター２８と第３の計測系の計測結果とを利用して設定することができる。まず、事前に絶対感度が校正されている外部照度計４０を用いて露光量モニター２８の出力値を絶対照度と関連付ける。これについては、後述する実施例４において詳細に説明する。次に、露光量モニター２８の出力と積算光量モニター１３の出力値を関連付ける。更に、以下の第３の計測系を利用して露光中の基板２９からの反射光の光量を取得する。最後に、基板面で所望の絶対照度を得るための積算光量モニター１３に対する目標値を決定する。
【００２３】
第３の計測系は、露光中の基板２９からの反射光（戻り光）を計測する計測系である。第３の計測系は、ハーフミラー１１、コンデンサーレンズ１５、反射光モニター１６（光量センサ）を有する。ハーフミラー１１は折り曲げミラー４ｃからの反射光の一部を９０°折り曲げてコンデンサーレンズ１５に導く。ハーフミラー１１は、原版ステージ基準マーク２１又は基板ステージ基準マーク２７からの反射光を偏向する偏向部材としても機能する。コンデンサーレンズ１５は反射光を反射光モニター１６に集光する。反射光モニター１６は、偏向部材であるハーフミラー１１によって偏向された反射光を受光するように構成されており、光量に応じたパルス電流を出力する光量検出部である。電流出力は処理部１７によってデジタル信号に変換され、制御部３４に入力される。反射光モニター１６は、原版ステージ基準マーク２１よりも露光光の光路に沿って前側に配置されている。
【００２４】
第４の計測系は、原版２２と基板２９との位置合わせに使用されるＴＴＲ（Ｔｈｒｏｕｇｈ  Ｔｈｅ  Ｒｅｔｉｃｌｅ）計測系である。ＴＴＲ系は、投影光学系２３を介して原版ステージ２０に形成された原版ステージ基準マーク２１と基板ステージ２４に設けられた基板ステージ基準マーク２７とを撮像して両者を位置合わせする系である。第４の計測系は、光束分岐手段、原版ステージ基準マーク２１、基板ステージ基準マーク２７、ＴＴＲ顕微鏡３３を有する。
【００２５】
光束分岐手段は、光源１からの光束を分岐し、ＴＴＲ顕微鏡３３に照明光を供給する。光束分岐手段は、折り曲げミラー６、駆動部７、コンデンサーレンズ３０、３１、ファイバー３２を有する。折り曲げミラー６は駆動部７によりレンズ５とレンズ８との間の光路に挿入及び退避されるように駆動される。折り曲げミラー６が照明光学系の光路内に配置されると光路が切り替えられる。照明光は折り曲げミラー６を介し、コンデンサーレンズ３０、３１によりファイバー３２の入射端に導光され、ファイバー３２を経てＴＴＲ顕微鏡３３へ導入される。
【００２６】
ＴＴＲ顕微鏡３３は、原版ステージ基準マーク２１と基板ステージ基準マーク２７とを同時に撮像する。ＴＴＲ顕微鏡３３は、原版ステージ２０の上方で移動可能に構成され、投影光学系２３の複数の像高で原版ステージ基準マーク２１と基板ステージ基準マーク２７との両方を投影光学系２３を介して撮像可能である。
【００２７】
図２は、ＴＴＲ顕微鏡３３の詳細なブロック図である。ＴＴＲ顕微鏡３３は、コリメータレンズ３３ａ、ハーフミラー３３ｂ、コンデンサーレンズ３３ｃ、３３ｅ、折り曲げミラー３３ｄ、カメラ（光量検出部）３３ｆ及び処理部３３ｇを有する。
【００２８】
コリメータレンズ３３ａは、ファイバー３２の射出端から出射した照明光を平行光に変換する。ハーフミラー３３ｂはコリメータレンズ３３ａからの光束を折り曲げミラー３３ｄに向けて透過し、折り曲げミラー３３ｄからの光束をコンデンサーレンズ３３ｅに向けて反射する。
【００２９】
折り曲げミラー３３ｄ及びハーフミラー３３ｂは、原版ステージ基準マーク２１及び基板ステージ基準マーク２７からの反射光を偏向する偏向部材として機能し、カメラ３３ｆは、偏向された反射光を受光するように構成されている。カメラ３３ｆは、原版ステージ基準マーク２１よりも第４の計測系の光路に沿って前側に配置されている。
【００３０】
コンデンサーレンズ３３ｃは、コリメータレンズ３３ａからの光束を原版ステージ２０の原版ステージ基準マーク２１に集光する。原版ステージ基準マーク２１は反射部と光透過部を有しており、原版ステージ基準マーク２１を透過した光は投影光学系２３によって基板ステージ２４の基板ステージ基準マーク２７に集光する。原版ステージ基準マーク２１の反射部と基板ステージ基準マーク２７の反射部とからの反射光は折り曲げミラー３３ｄ、ハーフミラー３３ｂ、コンデンサーレンズ３３ｅを介してカメラ３３ｆ上に各反射部の像を形成する。カメラ３３ｆからの画像信号は処理部３３ｇで処理されて制御部３４に送信される。
【００３１】
図３（ａ）は、原版ステージ基準マーク２１の例を示す平面図である。原版ステージ基準マーク２１は、反射部であるクロム部２１ａと光透過部であるクロム除去部（石英ガラス部）２１ｂとを有する。クロム部２１ａは、金属薄膜を蒸着によって石英ガラス部２１ｂに形成したものである。
【００３２】
図３（ｂ）は、基板ステージ基準マーク２７の例を示す平面図である。基板ステージ基準マーク２７は、反射部であるクロム部２７ａと光透過部であるクロム除去部（石英ガラス部）２７ｂとを有する。２７ａは、金属薄膜を蒸着によって石英ガラス部２７ｂに形成したものである。
【００３３】
図３（ｃ）は、カメラ３３ｆによって撮像された原版ステージ基準マーク２１および基板ステージ基準マーク２７の像である。アライメントは、図３（ｃ）に示すように、基板ステージ基準マーク２７が原版ステージ基準マーク２１の内側に配置されるように行う。なお、不図示の駆動部にて、ＴＴＲ顕微鏡３３内の少なくとも一部の素子を駆動すれば、原版ステージ基準マーク２１と基板ステージ基準マーク２７とを投影光学系の異なる像高において撮像することができる。
【００３４】
制御部３４は、露光装置の各部を制御する。
【００３５】
アライメントにおいては、駆動部７を介して折り曲げミラー６を照明光学系の光路に挿入し、処理部３３ｇからの情報によって各基準マークの位置ずれ量を算出する。そして、制御部３４は、位置ずれ量がゼロになるように、即ち、図３（ｃ）に示す状態になるように、原版ステージ２０と基板ステージ２４とを制御する。
【００３６】
また、露光においては、制御部３４は、駆動部７を介して折り曲げミラー６を照明光学系の光路から退避させる。そして、制御部３４は、干渉計２５からの出力を受信し、原版ステージ２０および基板ステージ２４の位置を監視し、原版ステージ２０の駆動部と駆動部２６とに制御信号を送り、両ステージの位置を制御する。また、制御部３４は、原版ステージ２０および基板ステージ２４の駆動に同期して発光するように光源１を制御する。これにより、原版２２のパターンは基板２９に転写される。照明光学系が原版上を照明する領域を画角というが、制御部３４は、駆動部９を制御してマスキングブレード１８による画角を制限して基板に転写すべき原版２２のパターン領域だけを照明することができる。
【００３７】
露光量制御においては、制御部３４は処理部１４及び１７からの出力値を参照しながら光源１に印加する電圧値又は電流値を制御することで光源１の光量を制御する。同時に、制御部３４は、光源１の発振周波数、照明光学系の減光率、原版ステージ２０の走査速度の条件を適切に設定して露光動作を行うことで基板面上の露光量を制御する。
【００３８】
更に、以下の各実施例で説明するように、投影光学系２３の透過率を測定する際に、制御部３４は、以下の制御を行う。制御部３４は、原版ステージ基準マーク２１から光源側に反射された反射光の光量と基板ステージ基準マーク２７から光源側に反射された反射光の光量とを一つの光量検出部が検出できるように原版ステージ２０の位置と基板ステージ２４の位置とを制御する。同一の光量検出部が２種類の反射光の光量を検出するので、特許文献１及び２に開示されているように、別々の光量検出部を使用する場合よりも、正確な計測を行うことができる。これは別々の光量検出部を使用する場合、それらは別個に経時変化するからである。
【００３９】
ある実施例では、制御部３４は、原版ステージ基準マーク２１からの反射光の光量の計測（第１の光量計測）と基板ステージ基準マーク２７からの反射光の光量の計測（第２の光量計測）とを別個に行うように原版ステージ２０と基板ステージ２４とを制御する。
【００４０】
第１の光量計測では、制御部３４は、原版ステージ基準マーク２１が光路に挿入されるように原版ステージ２０を制御する。この結果、制御部３４は、原版ステージ基準マーク２１によって光源側に反射された光束の反射光の光量（第１光量）を光量検出部に検出させることができる。この時、基板ステージ２４の位置は問わない。
【００４１】
第２の光量計測では、制御部３４は、原版ステージ基準マーク２１が光路から退避するように原版ステージ２０を制御する。また、制御部３４は、基板ステージ基準マーク２７が光路に挿入されるように基板ステージ２４を制御する。この結果、制御部３４は、基板ステージ基準マーク２７によって光源側に反射された光束の反射光の光量（第２光量）を同一の光量検出部に検出させることができる。
【００４２】
別の実施例では、制御部３４は、第１の光量計測と第２の光量計測を同時に又は並行して行う。即ち、制御部３４は、原版ステージ基準マーク２１が光路に挿入されるように原版ステージ２０を制御すると共に基板ステージ基準マーク２７が光路に挿入されるように基板ステージ２４を制御する。そして、制御部３４は、原版ステージ基準マーク２１からの反射光の光量と基板ステージ基準マーク２７からの反射光の光量とを光量検出部に同時に又は並行して検出させる
反射光は偏向部材によって偏向されて光量検出部に導光される。このため、光量検出部を光路上に配置する必要がなく、露光装置の小型化を妨げない。
【００４３】
そして、制御部３４は、投影光学系２３の透過率が閾値以下になったこと又は閾値以下になると予測した時期をオペレータに知らせる。
【００４４】
制御部３４にはメモリ３５と報知部３６とが接続されている。メモリ３５には、後述する透過率閾値Ｔｔｈが格納されている。報知部３６は、投影光学系２３の透過率Ｔが透過率閾値Ｔｔｈを下回った旨をオペレータに知らせるための表示部、ランプ、スピーカーなどの出力部である。
【実施例１】
【００４５】
以下、図１及び図４を参照して、実施例１の投影光学系２３の透過率の計測方法について説明する。図４は、計測方法のフローチャートであり、Ｓはステップの略である。
【００４６】
まず、制御部３４は、駆動部７を介して、折り曲げミラー６を照明光学系の光路から退避させる（Ｓ１０１）。
【００４７】
次に、制御部３４は、不図示の駆動部を介して、原版ステージ２０を駆動して投影光学系２３の光軸ＯＡに垂直なＹ軸方向から原版ステージ基準マーク２１を光路に挿入（即ち、照明光学系の照射領域内に移動）する（Ｓ１０２）。投影光学系２３の光軸ＯＡに垂直なＹ軸方向に移動することによって原版ステージ基準マーク２１が占めるスペースを抑えることができ、露光装置の小型化を妨げない。
【００４８】
次に、制御部３４は、駆動部９を介してマスキングブレード１８を駆動して照射領域を原版ステージ基準マーク（第１の反射部材、又は第１の基準マーク）２１のクロム部２１ａに設定する（Ｓ１０３）。
【００４９】
この状態で、制御部３４は、光源１からの光束を、照明光学系を介して、原版ステージ基準マーク２１に照射する（Ｓ１０４）。照明光の一部は原版ステージ基準マーク２１上のクロム部２１ａで反射され（反射率Ｒａ）、光源側に戻される。反射光はハーフミラー１１で一部が分岐されて反射光モニター（光量センサー）１６に導かれる。この結果、制御部３４は、原版ステージ基準マーク２１によって光源側に反射された光束の反射光の第１光量を反射光モニター１６によって検出させて原版ステージ基準マーク２１からの反射光量に応じた出力を得ることができる。反射光モニター１６が計測した第１光量（又は反射光モニター１６の出力値、又は第１の反射光）をＡとする。
【００５０】
次に、制御部３４は、不図示の駆動部を介して、投影光学系２３の光軸ＯＡに垂直な方向（Ｙ軸方向）に原版ステージ２０を駆動して原版ステージ基準マーク２１を光路から退避（即ち、照明領域外に移動）して投影光学系２３を直接照明する（Ｓ１０５）。
【００５１】
また、制御部３４は、駆動部２６を介して基板ステージ２４を駆動して、基板ステージ基準マーク２７のクロム部２７ａを、投影光学系２３の光軸ＯＡに垂直な方向（Ｘ軸方向又はＹ軸方向）から、光路に挿入（照明領域に移動）させる（Ｓ１０６）。投影光学系２３の光軸ＯＡに垂直な方向に移動することによって基板ステージ基準マーク２７が占めるスペースを抑えることができ、露光装置の小型化を妨げない。
【００５２】
この状態で、制御部３４は、光源１からの光束を、照明光学系と投影光学系２３とを介して、基板ステージ基準マーク２７（第２の反射部材、又は第２の基準マーク）に照射する（Ｓ１０７）。照明光の一部は基板ステージ基準マーク２７上のクロム部２７ａで反射され（反射率Ｒｂ）、光源側に戻される。反射光は投影光学系２３を透過して照明光学系内のハーフミラー１１で一部が反射光モニター１６に導かれる。この結果、制御部３４は、基板ステージ基準マーク２７によって光源側に反射された光束の反射光の第２光量を反射光モニター１６によって検出させて基板ステージ基準マーク２７からの反射光量に応じた出力を得ることができる。反射光モニター１６が計測した第２光量（又は反射光モニター１６の出力値、又は第２の反射光）をＢとする。
【００５３】
ここで、原版面上の照明光強度をＰ、原版面からハーフミラー１１までの透過率をＴ’、ハーフミラー１１の反射率をＲｈ、反射光モニター１６の変換効率をＸ、投影光学系２３の透過率をＴとすると、第１光量Ａと第２光量Ｂとはそれぞれ以下の式で表される。
【００５４】
【数１】
2010129796.tif 000003
【００５５】
【数２】
2010129796.tif 000004
【００５６】
数式１及び２より、投影光学系２３の透過率Ｔは以下のように表される。
【００５７】
【数３】
2010129796.tif 000005
【００５８】
ここで、原版ステージ基準マーク２１と基板ステージ基準マーク２７とは石英ガラス基板に金属膜を蒸着したものであるので、照明光に対する反射率はいずれも等しいとみなすことができる。従って、制御部３４は、透過率Ｔを、次式に示すように、反射光モニター１６が計測した光量比Ｂ／Ａの平方根を演算することによって算出することができる（Ｓ１０８）。
【００５９】
【数４】
2010129796.tif 000006
【００６０】
投影光学系の透過率Ｔが硝材の劣化やコンタミネーション（コンタミナントの付着）の影響で低下すると基板２９に到達できる光量が減少するので生産性が低下する。そこで、制御部３４は、投影光学系２３の透過率Ｔを上記方法で定期的に計測し、透過率がメモリ３５に格納されている閾値Ｔｔｈを下回った場合に保守を実施すべき旨を、報知部３６を介してオペレータに知らせる。保守には、光学素子の交換やクリーニングがある。投影光学系２３は複数の光学素子から構成されているが、コンタミネーションが多く発生するのは露光装置内の雰囲気に接している最も原版２２に近い光学素子の表面と最も基板２９に近い光学素子の表面とである。これらの光学素子のクリーニング又は交換後に同様の手法で投影光学系２３の透過率の計測を行うことによって保守効果を検証することができる。
【００６１】
制御部３４は、反射光量や照度の計測中に光源出力を積算光量モニター１３で監視して、光源出力変動による計測誤差を低減するように光源１を制御してもよい。
【００６２】
なお、反射部材は、原版ステージ基準マーク２１および基板ステージ基準マーク２７に限定されず、別の部材（例えば、基板２９としての半導体ウエハや別の反射部材）であってもよい。別の反射部材の場合は、原版ステージ２０に搭載される反射部材と基板ステージ２４に搭載される反射部材とを同一の材料から構成するか、異なる材料から構成する場合には、反射率が既知の材料を使用する。基板２９を使用する場合、例えば、基板２９を原版ステージと基板ステージとに順次入れ替えて搬入して反射光を計測することで反射率の差による影響を排除し、より正確な計測を行うことができる。反射部材として、球面ミラー等を用いてもよいし、基板２９とは別の反射部材を原版ステージと基板ステージとに順次入れ替えて搬入して（選択的に光路内に配置して）反射光を順次検出させてもよい。
【００６３】
原版ステージ２０と基板ステージ２４とマスキングブレード１８との位置を適切に設定することで画角内の任意の箇所での透過率を計測することができる。このため透過率Ｔの代わりに画角内の透過率分布を用いてもよい。透過率と透過率分布との両者を保守の判断材料としてもよい。本出願における「透過率」は透過率分布を含む概念とする。
【００６４】
また、露光装置には、原版パターンに応じた複数の照明条件が準備されている。例えば、ハエの目レンズ１０の射出面の近傍に配置されている不図示の開口絞りの開口形状を交換することによって、照明形状を円形照明、輪帯照明、四重極照明などの間で変更することができる。照明条件が異なれば、投影光学系内で光束が通過する位置が異なるので、照明条件毎に透過率を計測して保守の判断材料としてもよい。
【００６５】
更に、反射部材を反射光モニター１６より後側の任意の個所に挿入して、反射部材間の透過率を計測できるようにしてもよい。反射部材の挿入個所は、焦点面もしくは瞳面近傍が望ましい。例えば、光学系であるコンデンサーレンズ１９を被検光学系とする場合、ハーフミラー１１とコンデンサーレンズ１９の間に反射部材を挿入し、もう一つの反射部材として原版ステージ基準マーク２１を使用することができる。換言すれば、２つの反射部材の間に被検光学系としてのコンデンサーレンズ１９が介在する。
【００６６】
本実施例は、被検光学系の透過率を計測するために露光装置外から照度計などの計測器を取り付ける必要がなく露光装置に本来備わっている反射光モニター１６を転用する。また、本実施例では、露光装置に本来備わっている原版ステージ基準マーク２１と基板ステージ基準マーク２７とを反射部材として使用する。なお、薄い反射部材を光軸ＯＡに垂直な方向に挿入及び退避させれば反射光モニター１６よりも後側の任意の光学系部分（１または複数の光学素子）の透過率計測が可能となる。また、透過率を単一の反射光モニター１６で計測するので、特許文献１及び２に開示された２つの計測器を使用した場合のような２つの計測器の個別の感度変化の影響を受けない。また、光学系の透過率は波長によって異なるが、本実施例は、実際の露光で使用される露光光を用いて被検光学系の透過率を計測するので、投影光学系２３の透過率を正確に計測することができ、保守のタイミングを正確に知ることができる。
【００６７】
光源１からの光束により原版２２を照明して原版２２のパターンおよび投影光学系２３を介して基板２９を露光する際、投影光学系２３の透過率は閾値以上が確保されるので、本実施例の露光装置は、例えば、デバイスの生産性において有利である。
【実施例２】
【００６８】
以下、図１及び２を参照して、実施例２の投影光学系２３の透過率の計測方法について説明する。
【００６９】
まず、制御部３４は、駆動部７を介して、折り曲げミラー６を照明光学系の光路に挿入する。続いて、制御部３４は、不図示の駆動部を介して、原版ステージ２０を駆動して原版ステージ基準マーク２１をＴＴＲ顕微鏡３３の撮像可能領域に移動する。また、制御部３４は、不図示の駆動部にてＴＴＲ顕微鏡３３の撮像領域を原版ステージ基準マーク２１のクロム部２１ａに設定する。この状態で、光源１からの光束を、光束分岐手段及びＴＴＲ顕微鏡３３を介して、原版ステージ基準マーク２１に照射すると、照明光の一部は原版ステージ基準マーク２１上のクロム部２１ａで反射され（反射率Ｒａ）、光源側に戻される。この反射光はハーフミラー３３ｂで一部が分岐してカメラ３３ｆに導かれるので、原版ステージ基準マーク２１をその反射光量に応じて撮像することができる。得られたカメラ３３ｆの出力レベルをＡとする。
【００７０】
次に、制御部３４は、不図示の駆動部を介して、原版ステージ２０を駆動して原版ステージ基準マーク２１を照明領域外に移動してＴＴＲ顕微鏡３３を介し投影光学系２３を直接照明する。また、制御部３４は、駆動部２６を介して基板ステージ２４を駆動して、基板ステージ基準マーク２７のクロム部２７ａがＴＴＲ顕微鏡３３の撮像領域に移動させる。この状態で、光源１からの光束を、光束分岐手段、ＴＴＲ顕微鏡３３、投影光学系２３を介して基板ステージ基準マーク２７に照射すると、照明光の一部は基板ステージ基準マーク２７上のクロム部２７ａで反射され（反射率Ｒｂ）、光源側に戻される。反射光は投影光学系２３を透過してＴＴＲ顕微鏡３３内のハーフミラー３３ｂで一部が分岐してカメラ３３ｆに導かれるので、基板ステージ基準マーク２７をその反射光量に応じて撮像することができる。得られたカメラ３３ｆの出力レベルをＢとする。
【００７１】
ここで、ＴＴＲ顕微鏡３３の原版面上の照明光強度をＰ、原版面からハーフミラー３３ｂまでの透過率をＴ’、ハーフミラー３３ｂの反射率をＲｈ、カメラ３３ｆの変換効率をＸ、投影光学系２３の透過率をＴとする。すると、出力レベルＡとＢと透過率Ｔとはそれぞれ数式１〜４と同様に表される。
【００７２】
上記方法で計測された投影光学系２３の透過率Ｔを用いた光学素子の保守方法は、実施例１と同様である。また、反射部材として基板２９や球面ミラー等を使用し得ること、ＴＴＲ顕微鏡３３の駆動範囲内の透過率分布を計測し得ることは実施例１と同様である。また、カメラ３３ｆよりも後側の任意の個所に反射部材を挿入すれば、それに応じた光学系部分の透過率を計測し得ることも実施例１と同様である。
【００７３】
本実施例のＴＴＲ顕微鏡３３はクロム部２１ａ及び２７ａを撮像するが、クロムが除去されたマーク領域を含むように設定してもよい。例えば、図３に示すように、原版ステージ基準マーク２１からの反射マーク像（図３（ａ））と基板ステージ基準マーク２７からの反射マーク像（図３（ｂ））とを同時にカメラ３３ｆで撮像してもよい。この場合は、出力Ａ、出力Ｂを図３（ｄ）に示す出力Ａ’、出力Ｂ’と読み替えればよい。なお、図３（ｄ）は、図３（ｃ）における断面（破線）Ｃに沿った反射光量分布を示すカメラ出力の模式図である。
【００７４】
本実施例は、被検光学系の透過率を計測するために露光装置外から照度計などの計測器を取り付ける必要がなく露光装置に従来から備わっているＴＴＲ顕微鏡３３を転用する。また、本実施例は、露光装置に本来備わっている原版ステージ基準マーク２１と基板ステージ基準マーク２７とを反射部材に使用する。これら薄い反射部材を光軸に垂直な方向に挿入及び退避させれば、カメラ３３ｆよりも後側の任意の光学系部分の透過率計測が可能となる。また、透過率を単一のカメラ３３ｆで計測するので、特許文献１及び２に開示された２つの計測器を使用した場合のような２つの計測器の個別の感度変化の影響を受けない。また、投影光学系２３の透過率を正確に計測して保守のタイミングを正確に知ることができる点、デバイスの生産性において有利である点は、実施例１と同様である。
【実施例３】
【００７５】
以下、実施例１の変形例である実施例３について説明する。原版ステージ基準マーク２１からの反射光量値Ａ、基板ステージ基準マーク２７からの反射光量値Ｂを反射光モニター１６により計測する方法は、実施例１と同様である。
【００７６】
実施例１では、数式３において、原版ステージ基準マーク２１の反射率と基板ステージ基準マーク２７の反射率とが等しい（Ｒａ＝Ｒｂ）と考えた。しかし、光学系のＮＡ（開口数）が異なれば基準マーク上へ達する照明光の入射角度分布が変わるので、反射率Ｒａ、Ｒｂも異なる。投影光学系の倍率をβ、照明光学系の（原版面での）ＮＡをＮＡ１、投影光学系の（基板面での）ＮＡをＮＡ２とすると次式が成り立つ。
【００７７】
【数５】
2010129796.tif 000007
【００７８】
そこで、投影光学系２３の透過率計測で用いる照明条件のＮＡ１、ＮＡ２に基づいて基準マーク上のクロム部での反射率Ｒａ、Ｒｂを実験的あるいは計算によって予め求めておく。その結果から投影光学系２３の透過率を式３を用いて正確に計測することができる。なお、ＲａとＲｂとの相違はＮＡが大きいほど顕著となるので、液浸露光装置の場合などＮＡの大きい照明条件にて透過率を計測する場合は、本実施例の方法を適用するのが有効である。
【００７９】
上記方法で計測された投影光学系２３の透過率Ｔを用いた光学素子の保守方法は、実施例１と同様である。また、反射部材に基板２９や球面ミラーを使用し得ること、画角内の透過率分布を計測し得ること、複数の照明条件で計測し得ることは実施例１と同様である。また、反射光モニター１６よりも後側の任意の箇所に反射部材を挿入すればその箇所に応じた光学系部分の透過率を計測し得ることは実施例１と同様である。
【００８０】
また実施例２のように、反射光モニター１６の代わりにＴＴＲ顕微鏡３３のカメラ３３ｆを用いて透過率を計測してもよい。この場合、照明光学系からの照明ではないので、少なくとも投影光学系のＮＡ（ＮＡ２）と反射率Ｒｂとの関係を予め求めておけばよい。その他の反射光検出手段としては、光路内に予め設置されている任意の光検出器（ＣＣＤやフォトダイオード、フォトマルチプライヤー等の光電変換素子、熱電対や焦電センサー等の熱電素子など）を利用することができる。
【００８１】
本実施例では照明光学系・投影光学系のＮＡ（反射部材への光入射角度）の違いによる反射率の違いについて説明したが、反射部材の材料や表面形状の違いによる反射率の違いについても、同様の方法を適用することが可能である。
【００８２】
本実施例は、実施例１の効果に加えて、計測の正確度を高めることができるという効果を有する。
【実施例４】
【００８３】
以下、露光量を計測する露光量モニター（照度センサー）２８の出力値を絶対照度と関連付ける方法について述べる。露光量モニター２８の性能を露光装置の設置後に確認できるようにすることによって、経時変化による計測の正確度の低下を防止することができる。
【００８４】
まず、実施例１又は３に記載の方法で、反射光モニター１６を用いて投影光学系２３の透過率Ｔを計測する。これにより、制御部３４は投影光学系２３の透過率Ｔを取得する。
【００８５】
続いて、外部照度計４０（基準照度計）を原版ステージ２０に配置する。外部照度計４０は事前に絶対感度が校正されており、原版ステージ２０に取り付け及び取り外しが可能である。
【００８６】
次に、制御部３４は、外部照度計４０の受光部が光路に挿入されるように原版ステージ２０を制御すると共にマスキングブレード１８を駆動部９により駆動して、照明光が外部照度計４０の受光部を覆う位置に設定する。続いて、制御部３４は、照明光学系を介して光源１からの計測光を外部照度計４０に照射する。これにより、制御部３４は、原版面（原版が配置されるべき面）の照度を外部照度計４０に計測させて第３の光量計測を行うことができる。得られた照度計測値をＷｍ［Ｊ／ｍ２／ｐｕｌｓｅ］とする。ここで、Ｗｍ［Ｊ／ｍ２／ｐｕｌｓｅ］は原版面の絶対照度を表す。基板面（基板が配置されるべき面）の照度Ｗｗ［Ｊ／ｍ２／ｐｕｌｓｅ］は、原版面照度Ｗｍ［Ｊ／ｍ２／ｐｕｌｓｅ］と投影光学系２３の透過率Ｔと倍率βとを用いて以下のように表すことができる。
【００８７】
【数６】
2010129796.tif 000008
【００８８】
次に、制御部３４は、不図示の駆動部を介して、外部照度計４０を光路から退避するように（即ち、照明領域外に移動するように）原版ステージ２０を駆動制御し、投影光学系２３を直接照明できるようにする。また、制御部３４は、基板ステージ２４に固定された露光量モニター２８が光路に挿入されるように（即ち、照明領域内に移動するように）駆動部２６を介して基板ステージ２４を駆動制御する。この状態で、光源１からの光束を照明光学系と投影光学系２３とを介して露光量モニター２８に照射して露光量モニター２８に露光量を計測させる第４の光量計測を行う。得られた露光量モニター２８の出力値をＣとする。ＣとＷｗとの関係に基づいて露光量モニター２８の出力値を絶対照度に変換する係数を決定することができる。なお、第３の光量計測における照射光量と第４の光量計測における照射光量は、積算光量モニター１３により検出できるため、その差の影響は補正しうる。
【００８９】
以上の如く決定した、露光量モニター２８出力と絶対照度との関係、及び別途求めた露光量モニター２８出力と積算光量モニター１３出力との関係に基づいて、露光量制御条件の少なくとも１つを適切に決定して露光動作を行う。そうすることで、目標とする基板面露光量を実現する。露光量制御条件としては、積算光量モニター１３出力の積算値に対する目標値、光源１の発光エネルギー、光源１の発振周波数、照明光学系での減光率、原版ステージ２０の走査速度等を用いることができる。
【００９０】
外部照度計は、照度校正された光検出器（ＣＣＤやフォトダイオード、フォトマルチプライヤー等の光電変換素子、熱電対や焦電センサー等の熱電素子など）を用いることができる。外部照度計の計測量（計測値）の単位は、本実施例で示した［Ｊ／ｍ２／ｐｕｌｓｅ］以外に［Ｗ／ｍ２］等でも可能である。あるいは、外部照度計の代わりに原版位置に感光剤を塗布した基板を搬送して露光を行い、感光剤の露光感度と感光剤の変化とから原版面照度を決定してもよい。
【００９１】
透過率計測方法としては、実施例２のようにＴＴＲ顕微鏡３３を使用してもよいし、その他の光量検出手段を用いてもよい。計測した照度は、必ずしも露光量制御条件の決定に用いる必要はなく、露光装置の保守やその他の用途に用いてもよい。投影光学系の画角内の複数の計測箇所に関して計測を行って照度分布を測定してもよい。照明条件毎に照度を計測してもよい点は実施例１と同様である。
【００９２】
実施例４によれば、比較的容易に計測可能な個所の照度から直接計測しづらい個所の照度を精度良く求めることができる。特に、液浸露光装置において、液浸（ＮＡ＞１）条件下の基板面照度を、直接計測する代わりに原版面照度の計測を介して、求めることができる。
【実施例５】
【００９３】
以下、図５を参照して、実施例５の保守方法について説明する。
【００９４】
まず、実施例１〜４に示した方法で、被検光学系である投影光学系２３の透過率を計測し、これをＷ１としてメモリ３５に格納する。以降、任意の時間間隔またはタイミングで同様の計測を行ない、複数の計測値Ｗ２、Ｗ３、・・・をメモリ３５に格納する。ここで、露光装置の所期の性能を維持するために最低限必要な透過率をＷｔｈとすると、経過時間毎の計測値は、例えば、図５のように表される。
【００９５】
本実施例の制御部３４は、計測値Ｗ１〜Ｗ５を１次近似して将来の照度変化の傾向を推測し、透過率が閾値Ｗｔｈを下回る時期（時刻）ｔを予測する。予測結果である時期ｔは、例えば、保守者が常時確認できるよう報知部３６が表示しておいてもよいし、図５（ｂ）に示すように、保守部品手配や準備に必要な期間を考慮した時期ｔ’にアラームを発報してもよい。
【００９６】
保守時期予測の指標としては、透過率以外に透過率分布を使用してもよい。透過率分布の将来の変化を推測する方法は、直近の２つの計測値を用いた外挿（直線近似）、曲線近似、既知の変化傾向へのフィッティングなどの手法を用いればよい。コンタミネーションの進行は一般に光源１の照射パルス数や照射エネルギーに依存するため、過去の照射パルス数や照射エネルギーに基づいて透過率の将来の変化傾向を予測することができる。
【００９７】
実施例５の保守方法によれば、将来の照度変化傾向を予測して保守時期を事前に知らせることができるので、保守に関わる露光装置の非稼動時間を短縮することができる。
［デバイス製造方法の実施形態］
つぎに、本発明の一実施形態のデバイス（半導体デバイス、液晶表示デバイス等）の製造方法について説明する。
【００９８】
半導体デバイスは、ウエハ（半導体基板）に集積回路を作る前工程と、前工程で作られたウエハ上の集積回路チップを製品として完成させる後工程とを経ることにより製造される。前工程は、前述の露光装置を用いて、感光剤が塗布されたウエハを露光する工程と、その工程で露光されたウエハを現像する工程とを含みうる。後工程は、アッセンブリ工程（ダイシング、ボンディング）と、パッケージング工程（封入）とを含みうる。また、液晶表示デバイスは、透明電極を形成する工程を経ることにより製造される。透明電極を形成する工程は、透明導電膜が蒸着されたガラス基板に感光剤を塗布する工程と、前述の露光装置を用いて、感光剤が塗布されたガラス基板を露光する工程と、その工程で露光されたガラス基板を現像する工程とを含みうる。
【００９９】
本実施形態のデバイス製造方法は、デバイスの生産性、品質および生産コストの少なくとも一つにおいて従来よりも有利である。
【０１００】
以上、本発明の好ましい実施形態について説明したが、本発明はこれらの実施形態に限定されず、その要旨の範囲内で種々の変形および変更が可能である。
【図面の簡単な説明】
【０１０１】
【図１】本実施例の露光装置のブロック図である。
【図２】図１に示すＴＴＲ顕微鏡の詳細なブロック図である。
【図３】図１に示す原版ステージ基準マークと基板ステージ基準マークの平面図及びそれらから得られた信号波形である。
【図４】実施例１の計測方法のフローチャートである。
【図５】実施例５の保守時期を予測するためのグラフである。
【符号の説明】
【０１０２】
１                光源
１６              反射光モニター
２１              原版ステージ基準マーク
２２              原版
２３              投影光学系
２７              基板ステージ基準マーク
２９              基板
３３              ＴＴＲ顕微鏡
３４              制御部
【図１】
2010129796.tif 000009
【図２】
2010129796.tif 000010
【図３】
2010129796.tif 000011
【図４】
2010129796.tif 000012
【図５】
2010129796.tif 000013